(57)【特許請求の範囲】
【請求項１】
建築物の壁に取り付けられ外気との吸排気を行うルーバーであって、
第１の段設部と第２の段設部を有し、前記第１の段設部は、前記外気の吸気方向に沿って上昇するように傾斜する複数の第１の傾斜板を上下方向に段設し、前記第２の段設部は、前記第１の段設部と並列するように前記第１の段設部の外気側と連結するとともに、前記吸気方向に沿って下降するように傾斜する複数の第２の傾斜板を上下方向に段設し、
前記外気側に連結された第２の段設部の前記第２の傾斜板間に形成される水平方向の開口の率が所定値となるように前記第２の段設部の寸法を設定し、
前記第１の段設部の上下方向の長さをＨとし、前記第２の段設部の水平方向の長さをＤとし、前記第２の段設部における前記第２の傾斜板の段数をＮとし、前記開口の率をαとして、前記Ｈ、前記Ｄ、前記Ｎ、前記αの相関関係を数１により表して前記Ｄを設定し、
（数１）
α＝（Ｄ×Ｎ／Ｈ）×１００
前記第１の傾斜板と交差する防雨境界ラインを設定するとともに、前記防雨境界ラインを介して防雨ゾーンと消音ゾーンに区分けし、
前記防雨境界ラインは、前記第２の傾斜板の上端部と、該第２の傾斜板に対し上方側に隣接する第２の傾斜板の下端部と、を結ぶラインであって前記第１の傾斜板と交差するラインとし、
前記防雨ゾーンは、前記防雨境界ラインよりも下方側にある空間領域であって、前記防雨境界ラインと、前記第１の傾斜板のうち前記防雨境界ラインの下側の領域と、前記第１の傾斜板と対向する前記第２の傾斜板と、により囲まれた空間領域とし、前記消音ゾーンは、前記防雨境界ラインよりも上方側にある空間領域であって、前記防雨境界ラインと、前記第１の傾斜板のうち前記防雨境界ラインの上側の領域と、前記第１の傾斜板の上方側に隣接する第１の傾斜板と、により囲まれた空間領域とし、
前記第１の傾斜板に消音部材を装着するとともに、
前記消音ゾーンにおいて、前記第１の傾斜板のうち前記防雨境界ラインの上側の領域は、表裏を貫通する貫通孔を有する構造として、前記消音部材は、前記構造により覆われて支持され、
前記防雨ゾーンにおいて、前記第１の傾斜板のうち前記防雨境界ラインの下側の領域は、閉塞された平板状に形成され、前記消音部材は、前記閉塞された平板状の第１の傾斜板に覆われて支持されることを特徴とするルーバー。
【請求項２】
第３の段設部を更に有し、前記第３の段設部は、前記第２の段設部の外気側に連結され、前記第３の段設部は、更に前記第２の傾斜板と逆向きに傾斜する相互に平行な複数の第３の傾斜板を有し、前記第３の傾斜板は、前記第２の傾斜板と山型をなすように対向しつつ上下方向に段設されることを特徴とする請求項１に記載のルーバー。
【発明の詳細な説明】
【技術分野】
【０００１】
本発明は、ルーバーに関し、特に傾斜板を段設したルーバーに関する。
【背景技術】
【０００２】
従来から建物の換気用としてルーバーが広く使用されており、例えば特許文献１および特許文献２に開示される構造が知られている。これら特許文献に示すように、ルーバーは、建物の換気口等に取り付けられており、複数の傾斜板を、開口を介して上下方向に並べて形成されている。傾斜板は、吸気方向に沿って上昇するように傾斜しており、これにより、風雨の侵入を抑制しながらも換気することを可能とする。
【先行技術文献】
【特許文献】
【０００３】
【特許文献１】特開平９−２０９４６９号
【特許文献２】特開２００１−３２４７７６号
【発明の概要】
【発明が解決しようとする課題】
【０００４】
しかしながら、上述した従来のルーバーは、上方からの風雨の侵入は抑制するものの、水平方向や下方から巻き上がるように侵入する風雨は、傾斜板間に形成される開口を介して侵入することがある。このため、需要者からはかかる問題の改善が強く求められていた。
【０００５】
本発明はこのような事情に鑑みてなされたものであり、水平方向や下方から巻き上がる風雨を傾斜板に衝突させて該風雨の侵入を抑制することができるルーバーを提供することを目的とする。
【課題を解決するための手段】
【０００６】
上記目的を達成するために、ルーバーに係る請求項１の発明は、外気との吸排気を行うルーバーであって、第１の段設部と第２の段設部を有し、第１の段設部および第２の段設部は、相互に逆向きに傾斜する複数の傾斜板を、上下方向に段設し、第２の傾斜板間に形成される水平方向の開口の開口率が所定値となるように寸法を設定することを特徴とする。
【０００７】
上記目的を達成するために、ルーバーに係る請求項１の発明は、建築物の壁に取り付けられ外気との吸排気を行うルーバーであって、第１の段設部と第２の段設部を有し、第１の段設部は、外気の吸気方向に沿って上昇するように傾斜する複数の第１の傾斜板を上下方向に段設し、第２の段設部は、第１の段設部と並列するように第１の段設部の外気側と連結するとともに、吸気方向に沿って下降するように傾斜する複数の第２の傾斜板を上下方向に段設し、外気側に連結された第２の段設部の第２の傾斜板間に形成される水平方向の開口の開口率が所定値となるように第２の段設部の寸法を設定することを特徴とする。
【０００８】
本発明によれば、第１の段設部と第２の段設部を有し、第１の段設部および第２の段設部は、相互に逆向きに傾斜する複数の傾斜板を上下方向に段設し、第２の傾斜板間に形成される水平方向の開口の開口率が所定値となるように寸法を設定することとしたので、より詳しくは、第１の段設部と第２の段設部を有し、第１の段設部は、外気の吸気方向に沿って上昇するように傾斜する複数の第１の傾斜板を上下方向に段設し、第２の段設部は、第１の段設部と並列するように第１の段設部の外気側と連結するとともに、吸気方向に沿って下降するように傾斜する複数の第２の傾斜板を上下方向に段設し、外気側に連結された第２の段設部の第２の傾斜板間に形成される水平方向の開口の開口率が所定値となるように第２の段設部の寸法を設定することとしたので、水平方向や下方から巻き上がる風雨を傾斜板に衝突させて該風雨の侵入を抑制することができる。なお、傾斜板間に形成される水平方向の開口の寸法が所定値となるように寸法を設定することとしたので、より詳しくは、外気側に連結された第２の段設部の傾斜板間に形成される水平方向の開口の開口率が所定値となるように第２の段設部の寸法を設定することとしたので、ルーバーの圧力損失を適切に設定することできる。
【０００９】
開口率は、９０％乃至１１０％とすることとすれば、ルーバーの圧力損失を更に適切に設定することができる。
第１の段設部の上下方向の長さをＨとし、第２の段設部の水平方向の長さをＤとし、第２の段設部における第２の傾斜板の段数をＮとし、開口率をαとして、Ｈ、Ｄ、Ｎ、αの相関関係を数１により表してＤを設定することができる（請求項１）。
（数１）
α＝（Ｄ×Ｎ／Ｈ）×１００
【００１０】
第３の段設部を更に有し、第３の段設部は、第２の段設部の外気側に連結され、第３の段設部は、更に第２の傾斜板と逆向きに傾斜する相互に平行な複数の第３の傾斜板を有し、第３の傾斜板は、第２の傾斜板とハの字状に対向しつつ上下方向に段設されることとすれば、風雨の侵入を更に確実に抑制することができるとともに、第３の傾斜板が作用して風雪の侵入も抑制することができる（請求項２）。
【００１１】
第１の傾斜板に消音部材を装着することとすれば、更に防音効果を高めることができる（請求項１）。
第１の傾斜板と交差する防雨境界ラインを設定するとともに、防雨境界ラインを介して防雨ゾーンと消音ゾーンに区分けし、消音ゾーンにおいて、消音部材は、表裏を貫通する貫通孔を有する構造により覆われて支持されることとすれば、消音部材を確実に支持しつつ貫通孔により消音効果も確実に維持することができる（請求項１）。
【００１２】
防雨境界ラインは、第２の傾斜板の上端部と、該第２の傾斜板に対し上方側に隣接する第２の傾斜板の下端部と、を結ぶラインであって第１の傾斜板と交差するラインとし、防雨ゾーンは、防雨境界ラインよりも下方側にある空間領域であって、防雨境界ラインと、第１の傾斜板のうち防雨境界ラインの下側の領域と、第１の傾斜板と対向する第２の傾斜板と、により囲まれた空間領域とし、消音ゾーンは、防雨境界ラインよりも上方側にある空間領域であって、防雨境界ラインと、第１の傾斜板のうち防雨境界ラインの上側の領域と、第１の傾斜板の上方側に隣接する第１の傾斜板と、により囲まれた空間領域とすることとすれば、防雨ゾーンおよび消音ゾーンを適切に設定することができる（請求項１）。
【発明の効果】
【００１３】
本発明によれば、水平方向や下方から巻き上がる風雨を斜板に衝突させて該風雨の侵入を抑制することができる。
【図面の簡単な説明】
【００１４】
【図１】本発明の第１実施形態に係るルーバーの全体構成を示す側面図である。
【図２】同ルーバーの全体構成を示す平面図である。
【図３】同ルーバーの全体構成を示す分解側面図である。
【図４】同ルーバーの正面図である。
【図５】同ルーバーの技術的効果を説明するための側面図である。
【図６】同ルーバーの最下段部の第１の傾斜板における垂直板の構成を示す正面図である。
【図７】本発明の第２実施形態に係るルーバーの全体構成を示す側面図である。
【図８】同ルーバーの全体構成を示す分解側面図である。
【図９】同ルーバーの最下段部の第２の傾斜板における垂直板の構成を示す正面図である。
【図１０】本発明の第３実施形態に係るルーバーの全体構成を示す側面図である。
【図１１】同ルーバーの詳細構成を拡大して示す拡大側面図である。
【図１２】同ルーバーのパンチングメタル構造を示す図である。
【発明を実施するための形態】
【００１５】
以下、本発明の実施形態について図面を参照して詳細に説明する。なお、以下の説明においては、段設部１０乃至３０において傾斜板１１，２１，３１が段設される方向を上下方向、段設部１０乃至３０が並列する方向を水平方向、ルーバー１乃至３を正面側から見て側方側を側方とするものとする。
【００１６】
[第１実施形態]
図１は本発明の第１実施形態を示すルーバーの全体構成を示す側面図、図２は同平面図、図３は同分解側面図、図４は同正面図である。これらの図を参照して本発明のルーバー１の概要を説明すると、ルーバー１は、第１の段設部１０および第２の段設部２０を有しており、建築物の壁１００に取り付けられて、外気との間で吸排気を行うことができる。
第１の段設部１０は、複数の第１の傾斜板１１をケーシング１０ａ内に収納して構成されており、ケーシング１０ａは、取り付け治具１０ｂを介して壁１００に取り付けられている。
【００１７】
複数の第１の傾斜板１１は、相互に平行となるように、壁１００側に取り付けられており、空隙１２を介して上下方向に並ぶように段設されている。第１の傾斜板１１は、所定の方向に沿ってより詳しくは外気の吸気方向に沿って上昇するように傾斜している。第１の傾斜板１１の上端部には、水平方向に延びる水平板１３が設けられ、第１の傾斜板１１の下端部には、上下方向に垂直に延びる垂直板１４が設けられている。第１の傾斜板１１、水平板１３、および垂直板１４は、一枚の板状部材を屈曲させて形成することができる。
【００１８】
第２の段設部２０は、複数の第２の傾斜板２１をケーシング２０ａ内に収納して構成されており、連結部材４０により第１の段設部１０と並列するように第１の段設部１０の外気側と連結している。なお、ケーシング２０ａの下部側は、外気の吸気方向に沿って下降するように傾斜した構成となっている。
【００１９】
複数の第２の傾斜板２１は、相互に平行となるように、空隙２２を介して上下方向に並ぶように段設されている。第２の傾斜板２１は、所定の方向に沿ってより詳しくは外気の吸気方向に沿って下降するように傾斜しており、第１の傾斜板１１と相互に逆向きに傾斜し、第１の傾斜板１１と逆ハの字状に対向している。第２の傾斜板２１の上端部および下端部には、上下方向に垂直に延びる垂直板２３，２４が設けられている（以下、垂直板２３は、上端部側の垂直板２３とし、垂直板２４は、下端部側の垂直板２４とする）。なお、第２の傾斜板２１、上端部側の垂直板２３、および下端部側の垂直板２４は、一枚の板状部材を屈曲させて形成することができる。
【００２０】
ここで、第１の傾斜板１１の垂直板１４、該第１の傾斜板１１と同一段にある第２の傾斜板２１の下端部側の垂直板２４、これら傾斜板１１，２１の下段側にある第２の傾斜板２１の上端部側の垂直板２３は、相互に対向し水平方向の位置を相互に重ならせて配置されており、これら垂直板１４，２３，２４は、連結部材４０により連結されている。
【００２１】
連結部材４０は、長尺な平板状をなしており、垂直板１４，２３，２４の側端部を相互に連結する機能を有している。連結部材４０は、第２の傾斜板２１の下端部側の垂直板２４と、この傾斜板２１の下段側にある第２の傾斜板２１の上端部側の垂直板２３と、を固設して連結し、第１の傾斜板１１の垂直板１４とは、着脱自在に連結されている。つまり、連結部材４０は、第２の段設部２０と一体となって、第１の段設部１０と着脱可能に構成されており、例えば、第１の段設部１０のみを有する既設のルーバーに対し増設することができる。
【００２２】
なお、連結部材４０は、第１の傾斜板１１の垂直板１４とこれに対向する第２の傾斜板２１の下端部側の垂直板２４とを所定の間隔を置いて連結しており、これにより第１の傾斜板１１の下端部側の垂直板２４と第２の傾斜板２１の下端部側の垂直板１４との間に開口５０が形成される。
【００２３】
ここで、第２の段設部２０は、第２の傾斜板２１間に形成される水平方向の開口２２ａの開口率αより詳しくは第２の傾斜板２１の下端部側の垂直板２４と該第２の傾斜板２１の下段側にある第２の傾斜板２１の上端側にある垂直板２３との間に形成される開口２２ａの開口率αが所定値となるようにルーバー１の寸法を設定、より詳しくは、第２の段設部２０の寸法を設定することとしている。
【００２４】
すなわち、本発明においては、開口率αを、９０％乃至１１０％に設定するとともに、第１の段設部１０の上下方向の長さをＨとし、第２の段設部２０の水平方向の長さをＤとし、第２の段設部２０における第２の傾斜板２１の段数をＮとして、Ｈ、Ｄ、Ｎ、αの相関関係を数１の如く表し、第２の段設部２０の水平方向の長さＤを設定することとしている（段数Ｎは本発明においては５段としている）。
（数１）
α＝（Ｄ×Ｎ／Ｈ）×１００
【００２５】
以上説明したように、本第１実施形態のルーバー１にあっては、第１の段設部１０と第２の段設部２０を有し、第１の段設部１０および第２の段設部２０は、相互に逆向きに傾斜する複数の傾斜板１１，２１を、空隙１２，２２を介して上下方向に段設することとしたので、図５に示すように、水平方向や下方から巻き上がる風雨を第２の傾斜板２１に確実に衝突させて該風雨の侵入を抑制することができる。
【００２６】
また、外気側に連結された第２の段設部２０の傾斜板２１間に形成される水平方向の開口２２ａの開口率αすなわち第２の傾斜板２１の下端部側の垂直板２４と該第２の傾斜板２１の下段側にある第２の傾斜板２１の上端側にある垂直板２３との間に形成される開口２２ａの開口率αが所定値となるように第２の段設部２０の寸法を設定することとしたので、より詳しくは、傾斜板２１間に形成される水平方向の開口２２ａの開口率αは、９０％乃至１１０％とすることとしたので、ルーバー１の圧力損失を適切に設定することができる。すなわち、本発明者により、ルーバー１の圧力損失に対し水平方向の開口の開口率αが与える影響度が大きいことが明らかにされており、上述した数１の如く水平方向の開口２２ａの開口率αに基づいてルーバー１の寸法を設定することによりルーバー１の設計を適切に行うことができる。
【００２７】
なお、図５に示すように、ルーバー１に侵入した雨は、第２の傾斜板２１に衝突した後、前記第２の傾斜板２１の下段側にある第２の傾斜板２１に衝突し、次いで、前記第２の傾斜板２１と同一段の第１の傾斜板１１に衝突する。傾斜板１１，２１に衝突した雨は、傾斜板１１，２１上で水膜となって下端部の開口５０より雨滴として落下する。最下段部の開口５０ａは、雨滴を外部に排出する排出口として機能し、この開口５０ａの位置は、壁１００から所定距離の位置より詳しくは３０ｍｍ離間した位置に設定されている。これにより、開口５０ａから排水される雨滴は、壁１００に滴ることなく排出することができ、ルーバー１から排出される雨滴により壁１００が汚れることを確実に防止することができる。
また、図６に示すように、最下段部の開口５０ａを形成する第１の傾斜板１１の垂直板１４ａには、所定の間隔より詳しくは１５０ｍｍの間隔をおいて下端部に複数の切り欠き１４ｂが設けられている。すなわち、ルーバー１の底部に水が溜まる場合にあっても、下端部の切り欠き１４ｂを介して開口５０ａから外部に排出させることができる。
【００２８】
[第２実施形態]
本発明の第２実施形態について図７乃至図９を参照して詳細に説明する。本発明の第２実施形態のルーバー２は、上述した第１実施形態のルーバー１に対し第３の段設部３０を更に設けた構成を示している。なお、本第２実施形態においては、上述した第１実施形態と同一の符号が付された構成については同一の構成であるとしてその説明を省略することがあるものとする。
【００２９】
図７および図８に示すように、本発明の第２実施形態に係るルーバー２は、第１実施形態に係るルーバー１の第１の段設部１０および第２の段設部２０に加えて第３の段設部３０を備えた構成としている。
【００３０】
すなわち、第３の段設部３０は、複数の第３の傾斜板３１をケーシング３０ａ内に収納して構成されており、第２の段設部２０の外気側と連結している。
【００３１】
複数の第３の傾斜板３１は、相互に平行となるように、空隙３２を介して上下方向に並ぶように段設されている。第３の傾斜板３１は、第２の傾斜板２１と逆向きに傾斜しており、より詳しくは外気の吸気方向に沿って上昇するように傾斜しており、第２の傾斜板２１と山型をなすように対向している。第３の傾斜板３１の上端部および下端部には、上下方向に垂直に延びる垂直板３３，３４が設けられている。この垂直板３３，３４のうち上端部側の垂直板３３は、同一段の第２の傾斜板２１の上端部側における垂直板２３と間隔を介することなく合掌するように連結している。この連結は所定の連結部材を介して着脱自在に行われている。つまり、第３の段設部３０は、既設の第１の段設部１０に第２の段設部２０を増設する際に、第２の段設部２０に対し更に増設することができる。なお、第３の傾斜板３１、上端部側の垂直板３３、および下端部側の垂直板３４は、一枚の板状部材を屈曲させて形成することができる。また、第３の傾斜板３１の下端部側の垂直板３４の下端部と同一段の第１の傾斜板１１の下端部（垂直板１４の上端部）および第２傾斜板１２の下端部（垂直板２４の上端部）は、水平方向の位置が一致するように配置されている。
【００３２】
以上説明したように、本第２実施形態のルーバー２にあっては、第３の段設部３０を有することとしたので、風雨の侵入を更に確実に抑制することができるとともに、第３の傾斜板３１が作用して風雪の侵入も抑制することができる。
なお、本第２実施形態にあっては、図７からも明らかなように、雨滴を外部に排出する排出口７０は、ケーシング３０ａの下端部とケーシング２０ａの外気側の端部との間に形成される。また、本第２実施形態にあっては、最下段部の第１１の傾斜板１１´の下端部はケーシング１０ａから離間しており、最下段部の第２の傾斜板２１の下端部側の垂直板２４ａには、図９に示すように、所定の間隔より詳しくは１５０ｍｍの間隔をおいて下端部に複数の切り欠き２４ｂが設けられている。すなわち、本第２実施形態にあっては、底部に水が溜まる場合にあっては、下端部の切り欠き２４ｂを介して排出口７０から外部に排出することができる（最下段部の第１の傾斜板１１´の垂直板１４´と第２の傾斜板２１との間に形成される開口５０ａは雨滴の外部への排出口にはならず開口５０ａの下方はケーシング１０ａおよびケーシング２０ａが接続されて閉塞されている）。
【００３３】
[第３実施形態]
本発明の第３実施形態について図１０及び図１２を参照して詳細に説明する。本発明の第３実施形態のルーバー３は、上述した第１実施形態のルーバー１に対し消音部材６０を設けた構成を示している。なお、本第３実施形態においては、上述した第１実施形態と同一の符号が付された構成については同一の構成であるとしてその説明を省略することがあるものとする。
【００３４】
これらの図に示すように、本発明の第３実施形態に係るルーバー３は、第１実施形態に係るルーバー１の第１の段設部１０の第１の傾斜板１１の屋内側の面およびケーシング１０ａの天井部１０ａ´の内面側に消音部材６０を装着することとしている。
【００３５】
ここで、本第３実施形態にあっては、第１の傾斜板１１と交差する防雨境界ラインＬが設定されている。すなわち、防雨境界ラインＬは、第２の傾斜板２１の上端部２１´（より詳しくは第２の傾斜板２１の上端部側の垂直板２３の上端部２１´）と、該第２の傾斜板２１に対し上方に隣接する第２の傾斜板２１の下端部２１´´（より詳しくは第２の傾斜板２１の下端部側の垂直板２４の下端部２１´´）と、を結ぶラインであって第１の傾斜板１１と交差するラインとしており、ルーバー３の幾何学的な形状から風雨が侵入する上限のラインとして設定される。したがって、防雨境界ラインＬを介して消音部材６０の防雨対策が必要な防雨ゾーン８１と防雨対策の必要性の少ない非防雨ゾーン８２に区分けすることができる。
【００３６】
つまり、防雨ゾーン８１は、防雨境界ラインＬよりも下方側にある空間領域であって、防雨境界ラインＬと、第１の傾斜板１１のうち防雨境界ラインＬの下側にある外気側の面と、該第１の傾斜板１１と対向する第２の傾斜板２１と、により囲まれた空間領域として設定される。この防雨ゾーン８１に含まれる第１の傾斜板１１の下側の領域は、消音部材６０を覆い支持する支持体として防雨対策が必要な領域であり、かかる領域における第１の傾斜板１１は、貫通孔を有することなく単に閉塞された平板状に形成されている。
【００３７】
一方、非防雨ゾーン８２は、防雨境界ラインＬよりも上方側にある空間領域であって、防雨境界ラインＬと、第１の傾斜板１１のうち防雨境界ラインＬの上側にある外気側の面と、該第１の傾斜板１１の上方側に隣接した第１の傾斜板１１の屋内側にある面と、により囲まれた空間領域として設定される。この非防雨ゾーン８２に含まれる第１の傾斜板１１の上側の領域は、消音部材６０を覆い支持する支持体として防雨対策の必要性の少ない領域であり、かかる領域における第１の傾斜板１１は、表裏を貫通する複数の貫通孔８３を有する構造８１ａとなっている。このような貫通孔８３を有する構造８１ａとすることにより、貫通孔８３を介して消音部材６０に音が入り込み、消音部材６０の消音効果を十分に発揮させることができ、非防雨ゾーン８２は消音ゾーン８２として機能させることができる。なお、非防雨ゾーン８２つまり消音ゾーン８２に含まれる消音部材６０の屋内側の面も、表裏を貫通する貫通孔８３を有する構造８１ｂにより覆われて支持された構成となっており、同様に消音効果を十分に発揮させるように構成されている。貫通孔８３を有する構造８１ａ，８１ｂは、図１２に示すように、パンチングメタル構造とすることとしている。
【００３８】
以上説明したように、本第３実施形態のルーバー３にあっては、消音部材６０を装着することとしたので、建築物の内部で発生した音を消音することができる。また、消音部材６０は、表裏を貫通する貫通孔８３を有する構造８１ａ，８１ｂにより覆われて支持されることとしたので、消音部材６０を確実に支持しつつ消音効果も確実に維持することができる。なお、本第３実施形態においては、ケーシング１０ａの天井部１０ａ´に装着された消音部材６０の内面側１０ａ´´も表裏を貫通する貫通孔８３を有する構造により覆われ支持されている。
【産業上の利用可能性】
【００３９】
本発明は、相互に逆向きに傾斜する傾斜板を備えた複数の段設部を備えたルーバーを提供することにより、水平方向や下方から巻き上がる風雨を傾斜板に衝突させて該風雨の侵入を抑制することができる。これにより、ルーバーの新たな価値を生み出し業界の発展に大きく貢献する。
【符号の説明】
【００４０】
Ｄ：第２の段設部の水平方向の長さ
Ｈ：第１の段設部の上下方向の長さ
Ｌ：防雨境界ライン
Ｎ：第２の傾斜板の段数
α：第２の傾斜板間に形成される水平方向の開口の開口率
１：ルーバー
２：ルーバー
３：ルーバー
１０：第１の段設部
１０ａ：ケーシング
１０ａ´：天井部
１０ａ´´：内面側
１０ｂ：取り付け治具
１１：傾斜板
１１´：最下段部の第１の傾斜板
１２：空隙
１３：水平板
１４：垂直板
１４ａ：最下段部の垂直板
１４ｂ：切り欠き
１４´：最下段部の垂直板
２０：第２の段設部
２０ａ：ケーシング
２１：第２の傾斜板
２１´：上端部
２１´´：下端部
２２：空隙
２２ａ：第２の傾斜板間に形成される水平方向の開口
２３：上端部側の垂直板
２４：下端部側の垂直板
２４ａ：最下段部の下端部側の垂直板
２４ｂ：切り欠き
３０：第３の段設部
３０ａ：ケーシング
３１：第３の傾斜板
３２：空隙
３３：垂直板
３４：垂直板
４０：連結部材
５０：開口
５０ａ：開口（排出口）
６０：消音部材
７０：排出口
８１：防雨ゾーン
８１ａ：貫通孔を有する構造（パンチングメタル構造）
８１ｂ：貫通孔を有する構造（パンチングメタル構造）
８２：非防雨ゾーン（消音ゾーン）
８３：貫通孔
１００：壁
【図１】
0006332877.tif 000002
【図２】
0006332877.tif 000003
【図３】
0006332877.tif 000004
【図４】
0006332877.tif 000005
【図５】
0006332877.tif 000006
【図６】
0006332877.tif 000007
【図７】
0006332877.tif 000008
【図８】
0006332877.tif 000009
【図９】
0006332877.tif 000010
【図１０】
0006332877.tif 000011
【図１１】
0006332877.tif 000012
【図１２】
0006332877.tif 000013